(57)【要約】【課題】効率よく浮遊塵埃を吸引することができる電気掃除機を提供する。【解決手段】吸引風を発生させる電動送風機１と、この電動送風機１の吸引風により床面の塵埃を吸引する床面吸込口１４を備えた吸込具７と、前記電動送風機１の吸引風により空気中の浮遊塵埃を吸引する空気取入口１２と、この空気取入口１２の開口面積を変える開口面積設定手段（図示せず）と、前記吸込具７と床面（図示せず）との接触を検知する床面検知手段１６とを備え、前記開口面積設定手段は、前記床面検知手段１６が検知する前記吸込具７と床面の接触頻度に応じて、前記空気取入口１２の開口面積を変化させるもので、浮遊塵埃と床面上の塵埃をバランス良く吸引することが可能となる。【選択図】図１
2010119418.tif 000002
【特許請求の範囲】
【請求項１】
吸引風を発生させる電動送風機と、この電動送風機の吸引風により床面の塵埃を吸引する床面吸込口を備えた吸込具と、前記電動送風機の吸引風により空気中の浮遊塵埃を吸引する空気取入口と、この空気取入口の開口面積を変える開口面積設定手段と、前記吸込具と床面との接触を検知する床面検知手段とを備え、前記開口面積設定手段は、前記床面検知手段が検知する前記吸込具と床面の接触頻度に応じて、前記空気取入口の開口面積を変化させる電気掃除機。
【請求項２】
開口面積設定手段は、床面検知手段が検知する吸込具と床面との接触頻度が高いほど、空気取入口の開口面積を大きくする請求項１に記載の電気掃除機。
【請求項３】
電動送風機を位相制御する電動送風機駆動手段を備え、床面検知手段が検知する吸込具と床面との接触頻度が高いほど、電動送風機駆動手段は電動送風機の入力を上昇させる請求項２に記載の電気掃除機。
【発明の詳細な説明】
【技術分野】
【０００１】
本発明は、電気掃除機に関するもので、特に、空気中の浮遊塵埃を吸引する機能を有する電気掃除機に関するものである。
【背景技術】
【０００２】
従来のこの種の電気掃除機として、吸込具上面に多数の微小孔を設け、空気中の浮遊塵埃を前記微小孔から吸引するようにしたものがある（例えば、特許文献１参照）。
【特許文献１】特許第２８１７００４号公報
【発明の開示】
【発明が解決しようとする課題】
【０００３】
しかしながら、前記従来の電気掃除機の構成では、吸込具上面の微小孔が常に同じ開口面積で開いたままの状態であるため、ある程度の浮遊塵埃の吸引効果は期待できるが、吸込具と床面との接触頻度によって変化する浮遊塵埃量の変化には対応できていなかった。
【０００４】
本発明は、前記従来の課題を解決するもので、吸込具と床面との接触頻度に応じて空気取入口の開口面積を変化させることにより、効率よく浮遊塵埃の吸引が可能な電気掃除機を提供することを目的とする。
【課題を解決するための手段】
【０００５】
上記従来の課題を解決するために、本発明の電気掃除機は、吸引風を発生させる電動送風機と、この電動送風機の吸引風により床面の塵埃を吸引する床面吸込口を備えた吸込具と、前記電動送風機の吸引風により空気中の浮遊塵埃を吸引する空気取入口と、この空気取入口の開口面積を変える開口面積設定手段と、前記吸込具と床面との接触を検知する床面検知手段とを備え、前記開口面積設定手段は、前記床面検知手段が検知する前記吸込具と床面の接触頻度に応じて、前記空気取入口の開口面積を変化させるものである。
【０００６】
吸込具が浮き上がった状態から床面に接触すると、その衝撃で床面上の塵埃が巻き上げられるため、浮遊塵埃の量は増加する。ここで、単純に空気取入口の開口面積を大きくすれば、空気取入口から吸引される吸引風は増加し浮遊塵埃の吸引力は強くなるが、電動送風機から発生する吸引風は一定であるため、空気取入口から吸引される吸引風が増加した分だけ、床面吸込口から吸引される吸引風は減少し床面上の塵埃に対する吸引力は弱くなる。そこで、吸込具と床面の接触頻度に応じて空気取入口の開口面積を変化させることにより、浮遊塵埃と床面上の塵埃をバランス良く吸引することが可能となる。
【発明の効果】
【０００７】
本発明の電気掃除機は、吸込具と床面の接触頻度に応じて空気取入口の開口面積を変化させることにより、浮遊塵埃と床面上の塵埃をバランス良く吸引を行うことができる。
【発明を実施するための最良の形態】
【０００８】
第１の発明は、吸引風を発生させる電動送風機と、この電動送風機の吸引風により床面の塵埃を吸引する床面吸込口を備えた吸込具と、前記電動送風機の吸引風により空気中の浮遊塵埃を吸引する空気取入口と、この空気取入口の開口面積を変える開口面積設定手段と、前記吸込具と床面との接触を検知する床面検知手段とを備え、前記開口面積設定手段は、前記床面検知手段が検知する前記吸込具と床面の接触頻度に応じて、前記空気取入口の開口面積を変化させるもので、浮遊塵埃と床面上の塵埃をバランス良く吸引することが可能となる。
【０００９】
第２の発明は、特に、第１の発明の開口面積設定手段は、床面検知手段が検知する吸込具と床面との接触頻度が高いほど、空気取入口の開口面積を大きくするもので、吸込具が床面の接触頻度が高いほど、巻き上げられる塵埃の量は多くなるため、空気取入口の開口面積を大きくすることで、増加した浮遊塵埃に対応することができる。
【００１０】
第３の発明は、特に、第２の発明の電動送風機を位相制御する電動送風機駆動手段を備え、床面検知手段が検知する吸込具と床面との接触頻度が高いほど、電動送風機駆動手段は電動送風機の入力を上昇させるもので、空気取入口の開口面積だけでなく、電動送風機の入力も同時に上昇させることにより、浮遊塵埃をより効率よく吸引することが可能となる。
【００１１】
以下、本発明の実施の形態について、図面を参照しながら説明する。なお、本実施の形態によって本発明が限定されるものでは無い。
【００１２】
（実施の形態１）
図１は、本発明の実施の形態１における電気掃除機の概略図、図２は、同電気掃除機の制御方法を示すブロック図、図３は、電気掃除機の動作を表すフローチャート、図４は、同電気掃除機の空気取入口の開口面積とカウント値（回数）との関係図。
【００１３】
図１、２において、本実施の形態における電気掃除機の電気掃除機本体８の後部に、塵埃を吸引するための吸込力を発生させる電動送風機１が内蔵され、電気掃除機本体８の前部で、電動送風機１よりも吸気側には、集塵手段１０が設けられ、電動送風機１によって吸引された塵埃と吸気風の内、吸気風のみを通過させることで塵埃を集塵する。
【００１４】
ホース１１は、塵埃を集塵手段１０へ中継するもので、電気掃除機本体８と、入力設定手段４とを接続している。入力設定手段４には、延長管６が、その延長管６には、吸込具７がそれぞれ接続されている。入力設定手段４は、使用者が電動送風機１を動作する運転モードや、電動送風機１を停止する停止モードなどを選択し、制御手段３に信号を伝達する。
【００１５】
吸込具７の底面には、床面の塵埃を吸引する床面吸込口１４が、吸込具７の上面には、空気中の浮遊塵埃を吸引する空気取入口１２がそれぞれ備えられており、また、この空気取入口１２の開口面積を変更するシャッター１７が取り付けられている。このシャッター１７は開口面積設定手段１３によって動作するようになっている。
【００１６】
また、吸込具７には、床面と吸込具７の接触状態を検知する床面検知手段１６が備えられており、制御手段３と電気的に接続されている。
【００１７】
制御手段３は、入力設定手段４からの信号に応じて、電動送風機駆動手段１５を動作させ、電動送風機駆動手段１５は、電動送風機１を位相制御して電動送風機１の入力を変える。
【００１８】
床面検知手段１６は、吸込具７と床面との非接触回数を制御手段３に送信し、制御手段３は、非接触回数分だけ、計数手段１９の値を繰り上げる。計時手段１８は、制御手段３からの動作信号に応じて、時間のカウントを開始し、所定の時間、例えば１０秒が経過すると、制御手段３に信号を送信する。開口面積設定手段１３は、制御手段３からの信号に応じてシャッター１７を動作させる。
【００１９】
以上のように構成された本実施の形態における電気掃除機について、以下、図３、４を用いてその動作、作用について説明する。
【００２０】
使用者が入力設定手段４を操作し、電気掃除機の運転を開始する（ステップ１）。入力設定手段４から信号を受けた制御手段３は、電動送風機駆動手段１５に駆動信号を発信し、電動送風機１を動作させることで吸引風を発生させるとともに、計時手段１８に動作信号を送り、計時手段１８に１０秒間のカウントを開始させる（ステップ２）。発生した吸引風により、吸込具７の床面吸込口１４からは、床面上の塵埃が吸引されるとともに、空気取入口１２からは空気中の浮遊塵埃が吸引される。
【００２１】
使用者の操作によって、吸込具７が床面から浮き上がると、床面検知手段１６は、制御手段３に吸込具７が、床面と非接触状態となった事を表す信号を発信する（ステップ３）。この信号を受信した制御手段３は、計数手段１９の値を１つ繰り上げる（ステップ４）。このカウントを１つ繰り上げる動作は、吸込具７が床面に接触した状態から、床面から浮き上がる毎に繰り返し実行される。
【００２２】
計時手段１８は、１０秒が経過すると制御手段３に信号を送信し（ステップ５）、制御手段３は、計数手段１９からカウント値を受信する。ここで、制御手段３は、図４を用いて、空気取入口１２の開口面積を決定する。図４において、吸込具７と床面の接触頻度が高いほど、巻き上げられる塵埃の量が多くなるため、空気取入口１２の開口面積を大きくするように設定されている。
【００２３】
本実施の形態では、カウント値が２カウントであったとすると、制御手段３は、図４より開口面積を２５％と決定し（ステップ６）、空気取入口１２の開口面積を２５％となるように、開口面積設定手段１３に動作信号を送り、シャッター１７を動作させる（ステップ７）。シャッター１７が動作した後、制御手段３は、計数手段１９のカウント値と、計時手段１８のカウント秒数をリセットした後（ステップ８）、計時手段１８に動作信号を送り、再び計時手段１８に１０秒間のカウントを開始させる。
【００２４】
以上のように本実施の形態においては、吸込具７と床面の接触頻度に応じて空気取入口１２の開口面積を変化させることにより、浮遊塵埃と床面上の塵埃をバランス良く吸引することが可能となる。
【００２５】
また、吸込具７と床面との接触頻度が高い場合に、空気取入口１２の開口面積を大きくするだけでなく、電動送風機１の入力も同時に上昇させるようにすれば、空気取入口１２と、床面吸込口１４の両方からの吸引風量が増加するため、より多くの浮遊塵埃を吸引することが可能となる。
【産業上の利用可能性】
【００２６】
以上のように、本発明の電気掃除機は、床面掃除を主目的とした電気掃除機、特に、床面のみでなく空気中の浮遊塵埃をも集塵する電気掃除機に対して効果を発揮するものであり、家庭用だけでなく、ビルトインタイプ（セントラルクリーナ）のような電気掃除機への応用展開も有用である。
【図面の簡単な説明】
【００２７】
【図１】本発明の実施の形態１における電気掃除機の概略図
【図２】同電気掃除機の制御方法を示すブロック図
【図３】同電気掃除機の動作を表すフローチャート
【図４】同電気掃除機の空気取入口の開口面積とカウント値（回数）との関係図
【符号の説明】
【００２８】
１  電動送風機
３  制御手段
４  入力設定手段
６  延長管
７  吸込具
８  電気掃除機本体
１０  集塵手段
１１  ホース
１２  空気取入口
１３  開口面積設定手段
１４  床面吸込口
１５  電動送風機駆動手段
１６  床面検知手段
１７  シャッター
１８  計時手段
１９  計数手段
【図１】
2010119418.tif 000003
【図２】
2010119418.tif 000004
【図３】
2010119418.tif 000005
【図４】
2010119418.tif 000006